(57)【要約】【課題】簡単な構成で、鍵などの取付け操作を容易にすることができるキーリングを提供すること。【解決手段】所定幅を有する板状で波状の弾性材２により、複数回リング状に巻回されてリング部Ｒを有するキーリング１であって、前記弾性材２の巻回方向に一定の周期で交互に形成された山部２１及び谷部２２と、軸方向に隣接する前記リング部Ｒにおける前記山部２１と谷部２２とが相互に対向して形成される離間部３及び弾接部４と、を具備する。【選択図】図１
2018165469.tif 000002
【特許請求の範囲】
【請求項１】
所定幅を有する板状で波状の弾性材により、複数回リング状に巻回されてリング部を有するキーリングであって、
前記弾性材の巻回方向に一定の周期で交互に形成された山部及び谷部と、
軸方向に隣接する前記リング部における前記山部と谷部とが相互に対向して形成される離間部及び弾接部と、
を具備することを特徴とするキーリング。
【請求項２】
前記弾性材における巻回両端部から連続して前記離間部が形成されていることを特徴とする請求項１に記載のキーリング。
【請求項３】
前記巻回両端部は、それぞれ軸方向であって内側に指向していることを特徴とする請求項２に記載のキーリング。
【請求項４】
前記離間部は、３箇所に形成されていることを特徴とする請求項２又は請求項３に記載のキーリング。
【請求項５】
前記複数回の巻回は、２回の巻回に追加してオーバーラップ部分を有していることを特徴とする請求項１乃至請求項４のいずれか一項に記載のキーリング。
【発明の詳細な説明】
【技術分野】
【０００１】
本発明は、鍵などを取付け保持できるようにしたキーリングに関する。
【背景技術】
【０００２】
従来、例えば、鍵を取付け保持できるようにしたキーリングは、一般的には、線状の弾性材をリング状に巻回したリング部材が用いられている。このキーリングにおいて、リング部材に鍵を取付ける場合、リング部材の巻回端部に指の爪を引掛けて、リング部材の端部を広げ、この巻回端部から鍵の取付孔をリング部材に挿入する操作が行われる。
しかしながら、このような操作の場合、鍵の取付けが容易ではなく、また、指の爪を傷めてしまうという不都合が生じる。
このような不都合を解消すべく、鍵の取付け操作を容易にするため、鍵挿通用補助具を設けるものが提案されている。
【先行技術文献】
【特許文献】
【０００３】
【特許文献１】特開２００３−２０８２７号公報
【特許文献２】実用新案登録第３１２１６３５号公報
【特許文献３】特開２００３−３３６４１８号公報
【発明の概要】
【発明が解決しようとする課題】
【０００４】
しかしながら、上記のように鍵の取付け操作を容易にするためには、部材が増加したり、キーリングの構成が複雑化したりする問題が生じる。
本発明は、上記課題に鑑みなされたもので、簡単な構成で、鍵などの取付け操作を容易にすることができるキーリングを提供することを目的とする。
【課題を解決するための手段】
【０００５】
請求項１に記載のキーリングは、所定幅を有する板状で波状の弾性材により、複数回リング状に巻回されてリング部を有するキーリングであって、前記弾性材の巻回方向に一定の周期で交互に形成された山部及び谷部と、軸方向に隣接する前記リング部における前記山部と谷部とが相互に対向して形成される離間部及び弾接部と、を具備することを特徴とする。
【０００６】
弾性材には、例えば、弾性を有する金属材料のステンレス鋼等が用いることが好ましいが、所定の弾性を確保できれば、合成樹脂等の非金属材料を用いることができる。
【０００７】
請求項２に記載のキーリングは、請求項１に記載のキーリングにおいて、前記弾性材における巻回両端部から連続して前記離間部が形成されていることを特徴とする。
請求項３に記載のキーリングは、請求項２に記載のキーリングにおいて、前記巻回両端部は、それぞれ軸方向であって内側に指向していることを特徴とする。
請求項４に記載のキーリングは、請求項２又は請求項３に記載のキーリングにおいて、前記離間部は、３箇所に形成されていることを特徴とする。
【０００８】
請求項５に記載のキーリングは、請求項１乃至請求項４のいずれか一項に記載のキーリングにおいて、前記複数回の巻回は、２回の巻回に追加してオーバーラップ部分を有していることを特徴とする。
【発明の効果】
【０００９】
本発明によれば、簡単な構成で、鍵などの取付け操作を容易にすることが可能なキーリングを提供することができる。
【図面の簡単な説明】
【００１０】
【図１】本発明の実施形態に係るキーリングを示し、（ａ）は斜視図であり、（ｂ）は正面図である。
【図２】同キーリングを異なる方向から見て示す斜視図である。
【図３】同キーリングの正面図である。
【図４】同キーリングの左側面図である。
【図５】同キーリングの右側面図である。
【図６】同キーリングの背面図である。
【図７】同キーリングの平面図である。
【図８】同キーリングの底面図である。
【図９】同キーリングに鍵を取付ける操作工程を示す工程図である。
【図１０】同キーリングに複数の鍵を取付けた状態を示す斜視図である。
【発明を実施するための形態】
【００１１】
以下、本発明の実施形態について図１乃至図１０を参照して説明する。図１（ａ）はキーリングを示す斜視図であり、（ｂ）は正面図である。図２は図１（ａ）とは異なる方向から見て示す斜視図であり、図３は正面図、図４は左側面図、図５は右側面図、図６は背面図、図７は平面図、図８は底面図である。また、図９（ａ）乃至（ｅ）はキーリングに鍵を取付ける操作工程を示す工程図であり、図１０はキーリングに複数の鍵を取付けた状態を示す斜視図(写真)である。
【００１２】
図１乃至図８に示すようにキーリング１は、所定の幅寸法を有する板状で波状の弾性材２によって形成されており、複数回リング状に巻回、すなわち、約２回巻回されていてリング部Ｒを有している。
【００１３】
弾性材２には、例えば、弾性を有する金属材料のステンレス鋼等が用いることが好ましいが、所定の弾性を確保できれば、合成樹脂等の非金属材料を用いることができる。
【００１４】
また、弾性材２には、巻回方向に沿って一定の周期で交互に山部２１と谷部２２とが形成されている。この山部２１及び谷部２２は、連続してなだらかに湾曲するように波状に形成されている。
【００１５】
さらに、山部２１及び谷部２２は、軸方向Ｓ（図１（ｂ）参照）に隣接するリング部Ｒ、つまり、複数巻回の重なり方向に隣接するリング部Ｒにおいて対向しており、この山部２１と谷部２２とが対向することにより、離間部３及び弾接部４が形成されるようになっている。
【００１６】
詳しくは、図１に代表して示すように、例えば、１巻回目のリング部Ｒ１と隣接する２巻回目のリング部Ｒ２とにおいて、リング部Ｒ１の山部２１Ｒ１とリング部Ｒ２の谷部２２Ｒ２とが対向して離間部３が形成され、リング部Ｒ１の谷部２２Ｒ１とリング部Ｒ２の山部２１Ｒ２とが対向して弾接部４が形成される。
【００１７】
離間部３は、軸方向Ｓに隣接するリング部Ｒ間に形成される隙間であり、本実施形態においては３箇所に形成されている。弾接部４は、軸方向Ｓに隣接するリング部Ｒが弾性的に接触する部分である。また、離間部３は、巻回両端部２ａ、２ｂから連続するように形成されており、さらに、巻回両端部２ａ、２ｂは、図１（ｂ）に代表して示すように、それぞれ軸方向Ｓであって、内側に指向するように形成されている（図示上、矢印で示す）。
【００１８】
このため、巻回両端部２ａ、２ｂがリング部Ｒ１とリング部Ｒ２との板状の面に弾性的に接触するようになり、離間部３の形成が確保されるようになる。また、巻回両端部２ａ、２ｂが内側に指向するように形成されていることにより、巻回両端部２ａ、２ｂにより手指等を傷つけてしまうのを防止することが期待できる。
【００１９】
さらに、弾性材２において、複数回のリング状の巻回は、具体的には、２回＋αの巻回となっている。つまり、図１（ａ）に示すように、２回の巻回に追加してαの長さ分のオーバーラップ部分を有している。この構成によって巻回両端部２ａ、２ｂから、なだらかに連続するように湾曲して２つの離間部３が形成されるようになる。
【００２０】
また、このような２つの離間部３は、キーリング１の両面側（巻回両端部２ａ、２ｂの各面側）に配設されるようになる。したがって、後述するようにキーリング１に鍵を取付ける場合、面の方向性を考慮することなく、双方のどちら側の面からも鍵の取付け操作を行うことができる。加えて、２つの離間部３は、図１（ｂ）に示すように、同じ側面（正面）に配設されているので、鍵の取付け操作が容易となる効果が期待できる。
【００２１】
なお、キーリング１における弾性材２の外径φは２２ｍｍ〜２５ｍｍ、幅寸法ｗは１．５ｍｍ〜２．５ｍｍ、板厚寸法ｔは０．２ｍｍ〜０．８ｍｍが好ましく、本実施形態では、外径φは２３ｍｍ、幅寸法ｗは２ｍｍ、板厚寸法ｔは０．６ｍｍとなっている。
次に、図９及び図１０を参照してキーリングに鍵を取付ける操作工程について説明する。
【００２２】
鍵１０は、一般的に用いられているものであり、本体部１１と頭部１２とを有している。本体部１１には鍵山やキー溝が形成されていて、頭部１２には、取付孔としてキーリング孔１３が形成されている。操作工程は以下のとおりである。
（１）キーリング１の離間部３に、鍵１０の頭部１３が対向するように位置させる（図９（ａ））。
（２）鍵１０の頭部１３を離間部３に差し込むように操作する（図９（ｂ））。
（３）鍵１０の頭部１３におけるキーリング孔１３が一方の巻回端部２ａに位置するように鍵１０の頭部を図示上、反時計方向に回転させる（図９（ｃ））。
【００２３】
（４）鍵１０のキーリング孔１３にリング状の弾性材２が挿入された状態で、さらに鍵１０の頭部を図示上、時計方向に他方の巻回端部２ｂまで回転させ、キーリング孔１３に弾性材２を完全に挿入し、鍵１０の取付け操作が終了する（図９（ｄ）、（ｅ））。なお、鍵１０とキーリング１との回転操作は当然のことながら相対的なものである。
【００２４】
以上の操作工程により、鍵１０はキーリング１に取付けられ保持される。また、実際の使用時には、図１０に示すように複数の鍵１０がキーリング１に取付けられ保持されるようになる。
【００２５】
前述のように本実施形態によれば、キーリング１は、板状で波状の弾性材２によって形成されているので、所定の弾力性を確保することができる。また、キーリング１には、離間部３が形成されているので、鍵１０等の取付けを容易に行うことができる。加えて、離間部３は、巻回両端部２ａ、２ｂから連続するように形成されており、さらに、離間部３は、キーリング１の両面側に配設されるようになっているので、一層鍵１０等の取付け操作の容易性を向上することができる。
また、巻回両端部２ａ、２ｂが内側に指向するように形成されているので、手指等を傷つけてしまうのを防止することが期待できる。
【００２６】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１・・・・・・・キーリング
２・・・・・・・弾性材
２ａ、２ｂ・・・巻回端部
２１・・・・・・山部
２２・・・・・・谷部
３・・・・・・・離間部
４・・・・・・・弾接部
１０・・・・・・鍵
Ｒ・・・・・・・リング部
【図１】
2018165469.tif 000003
【図２】
2018165469.tif 000004
【図３】
2018165469.tif 000005
【図４】
2018165469.tif 000006
【図５】
2018165469.tif 000007
【図６】
2018165469.tif 000008
【図７】
2018165469.tif 000009
【図８】
2018165469.tif 000010
【図９】
2018165469.tif 000011
【図１０】
2018165469.tif 000012